(57)【要約】【課題】  分割表示時に指示位置によって意図しない動作になることを抑制する。【解決手段】  表示画面上の第１の領域内を指示された場合には該指示された位置の座標情報を出力し、第２の領域内を指示された場合には該指示された位置の座標情報を前記第１の領域内の対応位置の座標情報に変換して出力する。もしくは座標情報に基づいて信号処理を行う際に、指示された位置の座標情報を変換して信号処理を行う。【選択図】  図６
2005208991.tif 000002
【特許請求の範囲】
【請求項１】
表示画面と、
該表示画面上で指示された位置の座標情報を出力するための位置情報出力回路と、
入力される画像信号によって形成し得る画像の一部に対応する第１の画像を、前記表示画面の第１の領域と第２の領域に表示するための表示信号を出力する出力回路と、
を有しており、
前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力することを特徴とする位置情報出力装置。
【請求項２】
表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、
前記位置情報出力回路が出力する座標情報が、前記表示画面上の前記第１の領域内が指示されたことを示す情報である場合に該座標情報に応じた所定の信号処理を行い、
前記位置情報出力回路が出力する座標情報が、前記表示画面上の前記第２の領域内が指示されたことを示す情報である場合に該座標情報を前記第１の領域内の対応位置の座標情報に変換して前記所定の信号処理を行うことを特徴とする信号処理方法。
【請求項３】
表示画面と、
該表示画面上で指示された位置の座標情報を出力するための位置情報出力回路と、
入力される画像信号によって形成し得る画像の一部に対応する第１の画像を、前記表示画面の第１の領域と第２の領域に表示するための表示信号を出力する出力回路と、
を有しており、
前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力し、前記第１の領域と前記第２の領域に挟まれる領域内もしくは前記第１の領域と前記第２の領域の境界に隣接する所定領域内を指示された場合には該指示された位置の座標情報を出力しないことを特徴とする位置情報出力装置。
【請求項４】
表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、
前記位置情報出力回路が出力する座標情報が、前記表示画面上の前記第１の領域内が指示されたことを示す情報である場合に該座標情報に応じた所定の信号処理を行い、
前記位置情報出力回路が出力する座標情報が、前記表示画面上の前記第２の領域内が指示されたことを示す情報である場合に該座標情報を前記第１の領域内の対応位置の座標情報に変換して前記所定の信号処理を行い、
前記位置情報出力回路が出力する座標情報が、前記第１の領域と前記第２の領域に挟まれる領域内もしくは前記第１の領域と前記第２の領域の境界に隣接する所定領域内が指示されたことを示す情報である場合に該座標情報に応じた前記所定の信号処理を行わないことを特徴とする信号処理方法。
【請求項５】
表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、
前記位置情報出力回路が出力する座標情報が、前記表示画面上の前記第１の領域内が指示されたことを示す情報である場合に該座標情報に応じた所定の信号処理を行い、
前記位置情報出力回路が出力する座標情報が、前記表示画面上の前記第２の領域内が指示されたことを示す情報である場合に該座標情報を前記第１の領域内の対応位置の座標情報に変換して前記所定の信号処理を行い、
前記位置情報出力回路が出力する座標情報が、前記第１の領域と前記第２の領域に挟まれる領域内もしくは前記第１の領域と前記第２の領域の境界に隣接する所定領域内が指示されたことを示す情報である場合に該座標情報に応じた前記所定の信号処理を禁止することを特徴とする信号処理方法。
【発明の詳細な説明】
【技術分野】
【０００１】
本発明は、表示装置とタッチパネルやペンなどの位置検出手段とを組み合わせた位置情報出力装置に関するものである。
【背景技術】
【０００２】
現在、大型フラットディスプレイなどの表示装置は液晶方式、プラズマ方式など各種方式が実用化され、家庭でのＴＶへの利用以外にも応用範囲も広がりオフィスでのプレゼンテーションにも適用され始めている。
【０００３】
一方、オフィス内での複数人による打ち合わせ業務やコラボレーションシステムに表示装置を応用しようとすると編集作業が不可欠となり、表示画面上の位置を指定するためのタッチパネルやペンなどの位置検出手段と組み合わせる必要がある。
【０００４】
単一の表示装置を用いて操作者と対面する位置にある人物が同時に表示内容を確認できるように、画面を分割して同一内容を対面して表示できる表示装置があれば更に利便性が増すと想像される。
【０００５】
このような分割対面可能な表示装置は特許文献１に開示されている。また、分割表示した表示装置にペンで位置指定可能な表示システムが特許文献２に開示されている。
【特許文献１】特開平０５−１９７５０７号公報
【特許文献２】特開２００１−１７５３７６号公報
【発明の開示】
【発明が解決しようとする課題】
【０００６】
対面する位置関係に座っている営業員とお客が水平に置かれた表示装置及び表示装置に取り付けられたタッチパネルを挟んで座っている場面（図２）を想定してみる。この図２において、１は営業員、２はお客、両者の間にあるテーブル状のものは水平に置かれた表示装置２２とタッチパネル２４が合体した物とする。
【０００７】
この場面で営業員１は見積書を作成しているが、分割対面表示することによりそれと同じ見積書が分割対面表示され、同一の見積書をお客２も同時に見ることができる。画像データは図３のようになっており、これを分割対面表示すると図４のようになる。
【０００８】
ここで、営業員１が見積書の内容を変更するための画面領域を第一領域３５、お客２が見ている画面領域を第二領域３６とする。
【０００９】
そして、お客２が第二領域３６に対してタッチパネルから入力を行おうとすると、実際に表示されているのは分割対面表示されている第二領域３６であるが、タッチパネル２４の入力は［Ｂ］画面３２に対して行われるので、［Ｂ］画面３２に対して反応してしまい、意図しない動作になるという課題がある。ここでは例として同じ２つの画面を表示方向１８０度異ならせて表示する例を挙げたが、表示方向を１８０度以外の角度で異ならせる場合や表示方向を同じにした場合であっても同様の問題が生じる。
【００１０】
本発明は意図しない位置情報入力を回避することができる構成を実現することを目的とする。
【課題を解決するための手段】
【００１１】
上記目的を達成するために本発明の位置情報出力装置にあっては、表示画面と、該表示画面上で指示された位置の座標情報を出力するための位置情報出力回路と、入力される画像信号によって形成し得る画像の一部に対応する第１の画像を、前記表示画面の第１の領域と第２の領域に表示するための表示信号を出力する出力回路と、を有しており、前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力することを特徴とする。
【００１２】
本発明の信号処理方法にあっては、表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、前記位置情報出力回路が出力する座標情報が、前記表示画面上の前記第１の領域内が指示されたことを示す情報である場合に該座標情報に応じた所定の信号処理を行い、前記位置情報出力回路が出力する座標情報が、前記表示画面上の前記第２の領域内が指示されたことを示す情報である場合に該座標情報を前記第１の領域内の対応位置の座標情報に変換して前記所定の信号処理を行うことを特徴とする。
【００１３】
本発明の位置情報出力装置にあっては、表示画面と、該表示画面上で指示された位置の座標情報を出力するための位置情報出力回路と、入力される画像信号によって形成し得る画像の一部に対応する第１の画像を、前記表示画面の第１の領域と第２の領域に表示するための表示信号を出力する出力回路と、を有しており、前記位置情報出力回路は、前記表示画面上の前記第１の領域内を指示された場合には該指示された位置の座標情報を出力し、前記第２の領域内を指示された場合には該指示された位置の座標情報を前記第１の領域内の対応位置の座標情報に変換して出力し、前記第１の領域と前記第２の領域に挟まれる領域内もしくは前記第１の領域と前記第２の領域の境界に隣接する所定領域内を指示された場合には該指示された位置の座標情報を出力しないことを特徴とする。
【００１４】
本発明の信号処理方法にあっては、表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、前記位置情報出力回路が出力する座標情報が、前記表示画面上の前記第１の領域内が指示されたことを示す情報である場合に該座標情報に応じた所定の信号処理を行い、前記位置情報出力回路が出力する座標情報が、前記表示画面上の前記第２の領域内が指示されたことを示す情報である場合に該座標情報を前記第１の領域内の対応位置の座標情報に変換して前記所定の信号処理を行い、前記位置情報出力回路が出力する座標情報が、前記第１の領域と前記第２の領域に挟まれる領域内もしくは前記第１の領域と前記第２の領域の境界に隣接する所定領域内が指示されたことを示す情報である場合に該座標情報に応じた前記所定の信号処理を行わないことを特徴とする。
【００１５】
本発明の信号処理方法にあっては、表示画面、該表示画面上で指示された位置の座標情報を出力するための位置情報出力回路、及び、入力される画像信号によって形成し得る画像の一部に対応する第１の画像を、前記表示画面の第１の領域と第２の領域に表示するための表示信号を出力する出力回路を有する位置情報出力装置が出力する座標情報に応じた信号処理を行う信号処理方法であって、前記位置情報出力回路が出力する座標情報が、前記表示画面上の前記第１の領域内が指示されたことを示す情報である場合に該座標情報に応じた所定の信号処理を行い、前記位置情報出力回路が出力する座標情報が、前記表示画面上の前記第２の領域内が指示されたことを示す情報である場合に該座標情報を前記第１
の領域内の対応位置の座標情報に変換して前記所定の信号処理を行い、前記位置情報出力回路が出力する座標情報が、前記第１の領域と前記第２の領域に挟まれる領域内もしくは前記第１の領域と前記第２の領域の境界に隣接する所定領域内が指示されたことを示す情報である場合に該座標情報に応じた前記所定の信号処理を禁止することを特徴とする。
【発明の効果】
【００１６】
本発明では、意図しない動作になることを防ぐことができる。
【発明を実施するための最良の形態】
【００１７】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。また同じ画面を複数の領域に表示する際の表示方向として、以下では対面表示を特に好適な例として例示しているが、これに限るものではなく、同一方向での表示を含めて種々の方向に設定できる。ただし、複数の同じ画面を異なる表示方向で表示する場合に特に好適に本願発明は適用できる。
【００１８】
（第１の実施の形態）
図１〜図６を参照して、第１の実施の形態について説明する。図１に第１の実施の形態に係る表示システムの構成図を示す。
【００１９】
図１において、１１は各ブロックが接続されるバスである。１２はシステム全体を制御するシステム制御部であり、ＣＰＵやメモリを含む。
【００２０】
１５はキーボード、１６はマウスである。１７は表示モードを設定するスイッチであり、全体表示と分割対面表示をユーザーが切り替える。これらの入力装置に対して入力装置処理部１４が各入力装置からの情報をバス１１を介してシステム制御部１２に伝える。現在設定されている表示モードをシステム制御部１２は知っていて、分割対面処理部２１とタッチパネル制御部２３に表示モードを設定する。
【００２１】
２０は表示発生部であり、システム制御部１２の指示に応じて表示すべき内容を発生させる。２１は出力回路に相当する分割対面処理部であり、この役割については後述する。２２は表示装置であり、表示データを表示する。２３はタッチパネル制御部であり、タッチパネル２４からの位置情報をバス１１を介してシステム制御部１２に伝える。２４はタッチパネルであり、ユーザーが指示した位置を位置情報として検出する。タッチパネル２４とタッチパネル制御部２３が位置情報出力装置に相当している。
【００２２】
たとえば、対面する位置関係に座っている営業員とお客が水平に置かれた表示装置及び表示装置に取り付けられたタッチパネルを挟んで座っている場面（図２）を想定してみる。この図２において、１は営業員、２はお客、両者の間にあるテーブル状のものは水平に置かれた表示装置２２とタッチパネル２４が合体した物とする。
【００２３】
表示発生部２０はシステム制御部１２からの指示で図３のような内容を発生させたとする。ここでは左半分に［Ａ］画面３１が、右半分に［Ｂ］画面３２が発生されているとする。この内容は表示発生部２０の出力である信号線２７を介して分割対面処理部２１に伝えられる。
【００２４】
分割対面処理部２１はシステム制御部１２から表示モードを設定され、全画面表示モードが認識されている時は表示発生部２０からの表示データをそのまま信号線２８に流す。分割対面表示モードが認識されている時はちょうど左右に半分ずつの分割表示となり、表
示発生部２０からの表示データの左半分である［Ａ］画面３１をそのまま左半分の表示データとすると同時に、［Ａ］画面３１を１８０度回転して右半分の表示データとする。この処理によって、表示発生部２０から入力される画像信号によって形成し得る画像（図３）の一部に対応する第１の画像（図３の左半分に相当）を第１の領域である画面左側の表示領域と第２の領域である画面右側の表示領域に同時に表示するための表示信号を出力することができる。ここで、画面左側の表示領域をアクティブ領域、画面右側の表示領域を非アクティブ領域とする。
【００２５】
分割対面処理部２１からの信号線２８の出力信号の様子を図４に示す。ここで左半分に［Ａ］画面がそのまま第一領域３５とし、右半分に［Ａ］画面を１８０度回転した第二領域３６が合成され、表示装置２２で表示される。
【００２６】
タッチパネル２４は表示装置２２の表示エリアに入力座標位置が対応しており、表示した上に触れるとその点の座標位置を出力する。図５に示すように左上の座標を（０，０）、右下の座標を（Ｘｍａｘ，Ｙｍａｘ）とＸＹ座標系で表す。ユーザーがタッチパネル２４上を触った際の位置情報はタッチパネル制御部２３に伝えられる。ここでユーザーが指示したＸ座標をＸ、Ｙ座標をＹとする。
【００２７】
このときの処理方法を図６のフローチャートで説明する。タッチパネル制御部２３は表示モードを知っていて、分割対面表示モードかどうか判別し（Ｓ８１）、ｙｅｓならＳ８２へ進み、ｎｏならＳ８４へ進む。
【００２８】
Ｓ８２ではタッチパネルからの入力が第一領域にあるか第二領域にあるか判別する。具体的には入力したＸ座標がＸｍａｘ／２より大きいかどうかで判別でき、大きい場合は第二領域、小さい場合は第一領域と判別することができる。第二領域であればＳ８３へ進み、第一領域であればＳ８４へ進む。
【００２９】
Ｓ８３ではタッチパネルからの入力座標Ｘを、左半分の［Ａ］画面上の座標へと変換を行う。
【００３０】
即ち、
Ｘ’＝Ｘｍａｘ−Ｘ
とする。
【００３１】
同じように、タッチパネルからの入力座標Ｙを、左半分の［Ａ］画面上の座標へと変換を行う。
【００３２】
即ち、
Ｙ’＝Ｙｍａｘ−Ｙ
とする。
【００３３】
Ｓ８４ではタッチパネルからの入力座標Ｘ、Ｙともそのまま出力する。
【００３４】
即ち、
Ｘ’＝Ｘ、
Ｙ’＝Ｙ、
である。
【００３５】
これをまとめると、タッチパネル入力座標（Ｘ，Ｙ）に対して、タッチパネル制御部２３からの出力座標（Ｘ’，Ｙ’）は、以下に示すようになる。
【００３６】
１）分割対面表示モードの場合は、
ａ）０≦Ｘ≦Ｘｍａｘ／２の時（左半分）、
Ｘ’＝Ｘ、
Ｙ’＝Ｙ、
となり、
ｂ）Ｘｍａｘ／２＜Ｘ≦Ｘｍａｘの時（右半分）、
Ｘ’＝Ｘ’＝Ｘｍａｘ−Ｘ、
Ｙ’＝Ｙ’＝Ｙｍａｘ−Ｙ、
となる。
【００３７】
２）全画面表示の場合は、
Ｘ’＝Ｘ、
Ｙ’＝Ｙ、
となる。
【００３８】
以上により、分割対面表示モードの際に第二領域３６内である右半分の指示も的確に表示画面に反映でき、意図しない動作になることを防ぐことができる。
【００３９】
なお、上記形態では分割対面表示モード時にタッチパネル制御部２３でタッチパネルから入力されたＸ座標の大きさを判別して出力座標を変化させる処理をしていた。すなわち、位置情報出力装置内で出力座標情報を変換していた。しかし、この処理はタッチパネル制御部２３でなくシステム制御部１２や他の回路において座標情報に基づく所定の信号処理を行う際に、該信号処理を行う回路において位置情報出力装置からの変換されていない座標情報を変換した上で信号処理を行うようにしても良い。なお、座標情報に基づく所定の信号処理としては、座標情報に基づいて該座標情報に対応した位置にポインタ記号（矢印状のものなど）を表示させるための信号処理などを挙げることができる。
【００４０】
また、上記形態では左側の［Ａ］画面を第一領域として［Ｂ］画面の領域の座標からの位置情報を［Ａ］画面の第一領域の座標へと座標変換させた。しかし、逆に右側の［Ｂ］画面を第一領域として［Ｂ］画面を対面表示させ［Ａ］画面の領域の座標からの位置情報を［Ｂ］画面の第一領域の座標へと座標変換させたとするような処理としても良い。
【００４１】
さらに、上記形態では位置情報出力装置がタッチパネルを有する構成を採用したが、マウスやペンのようなポインティングデバイスでも同様な処理を行うことで、同じ効果を得ることができる。すなわち、画面上の位置を指示するための構成としては、画面に指やペン形状を有するものなどの指示部材を接触もしくは近接させる構成以外のものも用いうる。ただし、画面に指やペン形状を有するものなどの指示部材を接触もしくは近接させる構成のものを用いるのが好ましい。
【００４２】
（第２の実施の形態）
図７〜図９には、第２の実施の形態が示されている。システム構成などについては第１の実施の形態と同一なので、同一の構成部分については同一の符号を付して、その説明は省略する。
【００４３】
図７は第１の実施の形態における分割対面表示をしている図である。ここで、図７に示す第一領域７１のＣ地点をタッチしようとしたが誤って第二領域７２のＤ地点をタッチしてしまったとすると、タッチパネル２４からの入力座標は第１の実施の形態の如く座標変換され、
Ｘ’＝Ｘｍａｘ−Ｘ、
Ｙ’＝Ｙｍａｘ−Ｙ、
となる。この結果、図７で示すＥ地点をタッチしたのと同じになってしまい、操作が煩わしくなる。
【００４４】
そこで、本実施の形態では、上記のような分割対面表示の境界付近での誤入力を防止するために、図８に示すように分割対面表示の領域間の境界に不感帯を設ける。
【００４５】
画面半分の領域に対する不感帯の幅をＷとすると、不感帯の領域幅は２Ｗとなる。即ち、分割対面表示した際には、水平方向に対してＸｍａｘ／２−Ｗの地点からＸｍａｘ／２＋Ｗまでの領域、つまり２Ｗの領域幅が不感帯となる。
【００４６】
このときの処理方法を図９のフローチャートで説明する。まず、タッチパネルへの入力があると、Ｓ９１で分割対面表示モードかどうか判断し、ｙｅｓならＳ９２へ進み、ｎｏならＳ９６へ進む。
【００４７】
Ｓ９２ではタッチパネルからの入力が不感帯であるかどうか判別する。具体的には、入力座標ＸがＸｍａｘ／２−Ｗ以上で、且つ、Ｘｍａｘ／２＋Ｗ以下であれば不感帯領域をタッチされたと判断しＳ９４へ進み、Ｘ’、Ｙ’の値としてはタッチ位置の座標によらない情報としていずれも“０”を出力する。条件を満たさなくｎｏであればＳ９３へ進む。
【００４８】
Ｓ９３ではタッチパネルからの入力が図８で示すａ領域であるか、ｃ領域であるか判別する。ａ領域であればＳ９６へ進み、ｃ領域であればＳ９５へと進む。Ｓ９５及びＳ９６については、既に説明した第１の実施の形態のＳ８３、Ｓ８４と同じ処理内容なのでここでは省略する。
【００４９】
以上をまとめると、分割対面表示モードの場合のタッチパネル入力座標（Ｘ，Ｙ）に対して、タッチパネル制御部２３からの出力座標（Ｘ’，Ｙ’）は、
ａ）０≦Ｘ≦Ｘｍａｘ／２−Ｗの時（図８のａ領域）、
Ｘ’＝Ｘ、
Ｙ’＝Ｙ、
となり、
ｂ）Ｘｍａｘ／２−Ｗ＜Ｘ≦Ｘｍａｘ／２＋Ｗの時（図８のｂ領域）、
Ｘ’＝０、
Ｙ’＝０、
となり、
ｃ）Ｘｍａｘ／２＋Ｗ＜Ｘ≦Ｘｍａｘの時（図８のｃ領域）、
Ｘ’＝Ｘｍａｘ−ＸＷ、
Ｙ’＝Ｙｍａｘ−ＹＷ、
となる。
【００５０】
以上により、分割対面表示モードの際に隣接した分割画面の間に不感帯が設けられ、その領域のタッチ入力を無視することができ、あいまいな指示が表示画面に反映されず、意図しない動作になることを防ぐことができる。この実施形態においても、第１の実施形態と同様に、上記座標情報の変換処理及びまたは上記不感領域での座標入力無視のための処理を位置情報出力装置内で行うのではなく、位置情報出力装置からは実際の指示位置の座標情報を出力したうえで、他の信号処理回路における所定の信号処理の際に、上記座標変換の処理や不感領域を指示された場合の所定の信号処理の禁止制御を行うようにしてもよい。
【図面の簡単な説明】
【００５１】
【図１】第１の実施の形態に係る表示システムの構成図である。
【図２】第１の実施の形態に係る表示システムを使用している図である。
【図３】第１の実施の形態に係る表示システムの表示発生部からの画面例である。
【図４】第１の実施の形態に係る表示システムの画面例である。
【図５】第１の実施の形態に係る表示システムのタッチパネルの座標例である。
【図６】第１の実施の形態に係る表示システムのフローチャートである。
【図７】第１の実施の形態での不具合を示す説明図である。
【図８】第２の実施の形態に係る表示システムの画面例である。
【図９】第２の実施の形態に係る表示システムのフローチャートである。
【符号の説明】
【００５２】
１１  バス
１２  システム制御部
１４  入力装置処理部
１７  スイッチ
２０  表示発生部
２１  分割対面処理部
２２  表示装置
２３  タッチパネル制御部
２４  タッチパネル
【図１】
2005208991.tif 000003
【図２】
2005208991.tif 000004
【図３】
2005208991.tif 000005
【図４】
2005208991.tif 000006
【図５】
2005208991.tif 000007
【図６】
2005208991.tif 000008
【図７】
2005208991.tif 000009
【図８】
2005208991.tif 000010
【図９】
2005208991.tif 000011